(57)【要約】【課題】  従来のサーバが有するクライアントの監視機能では検出できない、Ｐ２Ｐシステムにおけるピアの不正動作を検出できるようにする。【解決手段】  信頼グループ管理部３１ａが、他の全ての信頼グループ管理部３１ａに信頼できるピア一覧を送信する。信頼できるピアが信頼グループに新しく追加されると、信頼グループ管理部３１ａが、信頼できるピアのピア一覧を更新し、新規参加の信頼できるピア情報を他の全ての信頼グループ管理部３１ａに送信し、他の信頼できるピアの信頼グループ管理部３１ａと電子証明書発行のための共通鍵を共有する。一般ピア２１が新規にコミュニティに参加する場合、該一般ピアが送信した参加要求を受信した信頼できるピアのピア管理手段部３１ｂが、新規参加の一般ピアの不正ピア登録の有無を確認し、不正ピアでなく、容量があれば新規参加のピアを信頼できるピアに属する一般ピアの一覧に登録する。【選択図】  図２
2006148197.tif 000002
【特許請求の範囲】
【請求項１】
信頼できるピアから構成される信頼グループによるコミュニティにおける利用者情報の分散管理装置であって、
前記コミュニティを構成する各ピアは、信頼グループ機能部とコミュニケーション機能部からなるコミュニティサービス装置を備え、
前記信頼グループ機能部は信頼グループ管理手段とピア管理手段とログ解析手段と電子証明書生成手段を有し、
前記コミュニケーション機能部は通信手段とログ管理手段と電子証明書管理手段を有し、
前記信頼グループ管理手段は、他の前記信頼グループ管理手段と前記信頼グループの信頼できるピア情報の連絡を行い、前記信頼グループの信頼できるピア情報の一覧を管理し、前記電子証明書生成手段による電子証明書の発行のための共通鍵を前記信頼グループを構成する他の信頼できるピアと共有する機能を有し、
前記ログ解析手段は、一般ピアから受信するログを解析し、不正がなければ、前記電子証明書生成手段に前記一般ピアへの前記電子証明書の発行を指示し、不正があれば、前記ピア管理手段に前記一般ピアの不正を通知する機能を有し、
前記ピア管理手段は、前記ログ解析手段から、前記一般ピアの不正通知を受け、前記一般ピアの一般ピア一覧からの削除および不正ピア一覧への登録を行い、前記信頼グループ管理手段から宛先情報を得て、全ての他の前記信頼できるピアのピア管理手段に前記一般ピアの不正を通知し、前記信頼できるピアの管理する一般ピアに前記一般ピアの不正を通知する機能を有し、
前記電子証明書生成手段は、前記ログ解析手段からの指示により、不正のない前記一般ピアに前記電子証明書および前記コミュニティに共通で、前記電子証明書の解読に必要な公開鍵を発行する機能を有し、
前記通信手段は、前記コミュニティの他の一般ピアとの通信のために、前記電子証明書管理手段から前記電子証明書を取得し、通信相手の他の前記一般ピアに送信し、前記通信相手から受信する前記電子証明書の正当性の判定を前記電子証明書管理手段に依頼する機能を有し、
前記ログ管理手段は、前記信頼グループのピアのピア管理手段に前記ログを定期的に送信し、前記電子証明書の更新要求を行う機能を有し、
前記電子証明書管理手段は前記信頼グループのピアの前記電子証明書生成手段から前記電子証明書および前記電子証明書解読のための公開鍵を受信、管理し、前記電子証明書により前記通信相手の正当性を判定し、前記コミュニティへの一般ピアの新規参加のために参加要求を送信する機能を有する、
利用者情報の分散管理装置。
【請求項２】
前記電子証明書管理手段は、前記電子証明書による通信相手の正当性の判定を、前記電子証明書の発行時の個人同定情報、パスワード、および前記電子証明書の有効期限により行う、請求項１に記載の分散管理装置。
【請求項３】
信頼できるピアから構成される信頼グループによるコミュニティであって、前記コミュニティを構成する各ピアは、前記各信頼グループ機能部とコミュニケーション機能部からなるコミュニティサービス装置を備え、前記信頼グループ機能部は信頼グループ管理手段とピア管理手段とログ解析手段と電子証明書生成手段を有し、前記コミュニケーション機能部は、通信手段とログ管理手段と電子証明書管理手段を有するコミュニティにおける利用者情報の分散管理方法であって、
前記信頼グループの形成のために、前記信頼グループ機能部の信頼グループ管理手段が、他の全ての前記信頼グループ管理手段に前記信頼できるピア一覧を送信するステップと、
新しく信頼できるピアが前記信頼グループに追加されると、前記信頼グループ管理手段が、前記信頼できるピアのピア一覧を更新し、前記新規参加の信頼できるピアのピア情報を他の全ての前記信頼グループ管理手段に送信し、他の前記信頼できるピアの信頼グループ管理手段と前記電子証明書発行のための共通鍵を共有するステップと、
一般のピアが新規にコミュニティに参加する場合、新規に参加する一般ピアが送信した参加要求を受信した前記信頼できるピアの前記ピア管理手段が、前記新規参加一般ピアの不正ピア登録の有無を確認し、不正ピアに登録がなければ前記新規参加の一般ピアを前記信頼できるピアに属する前記一般ピアの一覧に登録し、前記新規参加一般ピアが不正ピアであれば、前記新規参加要求を拒否するステップと、
前記電子証明書生成手段が、不正でない前記新規参加の一般ピアに対し、前記電子証明書を生成し、該電子証明書を、前記電子証明書の解読のための前記コミュニティに共通の公開鍵と共に送信するステップと、
前記ピア管理手段に前記新規参加の一般ピアを登録する容量が不足すると、前記信頼グループ管理手段の管理する他の前記信頼できるピアを紹介するステップと、
前記一般ピアが、前記電子証明書の更新のために、前記信頼できるピアのピア管理手段に前記ログを定期的に送信して、前記電子証明書の更新要求を行うと、前記ログ解析手段が、受信した前記ログを解析し、不正がなければ、前記電子証明書生成手段が、前記電子証明書を新規に生成し、前記電子証明書の解読に必要な公開鍵と共に前記一般ピアに送信し、不正があれば、前記信頼できるピアのピア管理手段が、不正の一般ピアを前記一般ピア一覧から削除し、前記不正の一般ピアを不正一覧に登録し、前記信頼グループ管理手段から宛先情報を得て、他の前記信頼できるピアのピア管理手段に前記一般ピアの不正情報を送信するステップと、
前記一般ピアの不正情報を受信した前記ピア管理手段が、前記信頼できるピアに属する一般ピアの不正一覧に不正の前記一般ピアを登録するステップと、
前記コミュニティにおいて、各ピアが通信を行う場合、前記通信手段が、受信側ピアに、前記電子証明書管理手段が管理する前記電子証明書を送信し、受信側ピアの前記通信手段が、受信した前記電子証明書の正当性を前記電子証明書管理手段に照会し、正当であれば前記通信を続け、不正であれば前記通信を拒否するステップと、
を有する分散管理方法。
【請求項４】
前記信頼できるピアを自動的に選択するステップを有する、請求項３に記載の分散管理方法。
【請求項５】
信頼できるピアから構成される信頼グループによるコミュニティにおける利用者情報の分散管理をコンピュータに行なわせるためのプログラムであって、
前記信頼グループの形成のために、他の全ての信頼できるピアに信頼できるピア一覧を送信する手順と、
新しく信頼できるピアが前記信頼グループに追加されると、前記信頼できるピアのピア一覧を更新し、前記新規参加の信頼できるピアのピア情報を他の全ての前記信頼できるピアに送信し、他の前記信頼できるピアと前記電子証明書発行のための共通鍵を共有する手順と、
新規に参加する一般ピアが送信した参加要求を受信すると、前記新規参加の一般ピアの不正ピア登録の有無を確認し、不正ピアに登録がなければ前記新規参加のピアを前記信頼できるピアに属する前記一般ピアの一覧に登録し、前記新規参加一般ピアが不正ピアであれば、前記新規参加要求を拒否する手順と、
不正でない前記新規参加の一般ピアに対し、前記電子証明書を生成し、該電子証明書を、前記電子証明書の解読のための前記コミュニティに共通の公開鍵と共に送信する手順と、
前記新規参加の一般ピアを登録する容量が不足すると、他の前記信頼できるピアを紹介する手順と、
前記一般ピアが、前記電子証明書の更新のために、前記信頼できるピアに前記ログを定期的に送信して、前記電子証明書の更新要求を行うと、受信した前記ログを解析し、不正がなければ、前記電子証明書を新規に生成し、前記電子証明書の解読に必要な公開鍵と共に前記一般ピアに送信し、不正があれば、不正の一般ピアを前記一般ピア一覧から削除し、前記不正の一般ピアを不正一覧に登録し、宛先情報を得て、他の前記信頼できるピアに前記一般ピアの不正情報を送信する手順と、
前記一般ピアの不正情報を受信すると、前記信頼できるピアに属する一般ピアの不正一覧に不正の前記一般ピアを登録する手順と、
前記コミュニティにおいて通信を行う場合、受信側ピアに前記電子証明書を送信する手順と、
受信した前記電子証明書が正当であれば前記通信を続け、不正であれば前記通信を拒否する手順と、
をコンピュータに実行させるための利用者情報の分散管理プログラム。
【発明の詳細な説明】
【技術分野】
【０００１】
本発明は、コミュニティにおける利用者情報の分散管理方法および装置に関する。
【背景技術】
【０００２】
従来のサーバ・クライアントシステムでは、サーバによってクライアントの不正な動作を検出していた。しかし、Ｐ２Ｐシステムでは、特にサーバと呼ばれるピアは存在せず、全てのピアがサーバであり、クライアントであり得る。このため、従来のサーバが有するクライアントの不正動作検出機能では、Ｐ２Ｐシステムにおけるピアの不正動作は検出できないという問題がある。
【特許文献１】特開平１１−２５９５７１号公報
【発明の開示】
【発明が解決しようとする課題】
【０００３】
本発明の目的は、従来のサーバが有するクライアントの監視機能では検出できない、Ｐ２Ｐシステムにおけるピアの不正動作の検出を可能にする、利用者情報の分散管理装置、方法、およびプログラムを提供することにある。
【課題を解決するための手段】
【０００４】
本発明の、利用者情報の分散管理装置は、信頼できるピアから構成される信頼グループによるコミュニティにおける利用者情報の分散管理装置であって、コミュニティを構成する各ピアは、信頼グループ機能部とコミュニケーション機能部からなるコミュニティサービス装置を備えている。
【０００５】
信頼グループ機能部は、信頼グループ管理手段とピア管理手段とログ解析手段と電子証明書生成手段を有し、コミュニケーション機能部は、通信手段とログ管理手段と電子証明書管理手段を有している。
【０００６】
信頼グループ管理手段は、他の前記信頼グループ管理手段と前記信頼グループの信頼できるピア情報の連絡を行い、前記信頼グループの信頼できるピア情報の一覧を管理し、前記電子証明書生成手段による電子証明書の発行のための共通鍵を前記信頼グループを構成する他の信頼できるピアと共有する機能を有する。
【０００７】
ログ解析手段は、一般ピアから受信するログを解析し、不正がなければ、電子証明書生成手段に前記一般ピアへの電子証明書の発行を指示し、不正が有れば、ピア管理手段に前記一般ピアの不正を通知する機能を有する。
【０００８】
ピア管理手段は、ログ解析手段から、前記一般ピアの不正通知を受け、一般ピアの一般ピア一覧からの削除および不正ピア一覧への登録を行い、信頼グループ管理手段から宛先情報を得て、全ての他の前記信頼できるピアのピア管理手段に前記一般ピアの不正を通知し、信頼できるピアの管理する一般ピアに前記一般ピアの不正を通知する機能を有する。
【０００９】
電子証明書生成手段は、ログ解析手段からの指示により、不正のない一般ピアに電子証明書および前記コミュニティに共通で、電子証明書の解読に必要な公開鍵を発行する機能を有する。
【００１０】
通信手段は、コミュニティの他の一般ピアとの通信のために、電子証明書管理手段から電子証明書を取得し、通信相手の他の前記一般ピアに送信し、通信相手から受信する前記電子証明書の正当性の判定を電子証明書管理手段に依頼する機能を有する。
【００１１】
ログ管理手段は、信頼グループのピアのピア管理手段にログを定期的に送信し、電子証明書の更新要求を行う機能を有する。
【００１２】
電子証明書管理手段は信頼グループのピアの電子証明書生成手段から電子証明書および電子証明書解読のための公開鍵を受信、管理し、電子証明書により前記通信相手の正当性を判定し、前記コミュニティへの一般ピアの新規参加のために参加要求を送信する機能を有する。
【００１３】
次に、利用者情報の分散管理装置の動作を説明する。
【００１４】
信頼グループの形成のために、信頼グループ機能部の信頼グループ管理手段が、他の全ての信頼グループ管理手段に前記信頼できるピア一覧を送信する。
【００１５】
新しく信頼できるピアが信頼グループに追加されると、信頼グループ管理手段が、信頼できるピアのピア一覧を更新し、新規参加の信頼できるピア情報を他の全ての信頼グループ管理手段に送信し、他の信頼できるピアの信頼グループ管理手段と電子証明書発行のための共通鍵を共有する。
【００１６】
一般のピアが新規にコミュニティに参加する場合、新規に参加する一般ピアが送信した参加要求を受信した信頼できるピアのピア管理手段が、新規参加一般のピアの不正ピア登録の有無を確認し、不正ピアに登録がなければ新規参加のピアを信頼できるピアに属する一般ピアの一覧に登録し、新規参加一般ピアが不正ピアであれば、新規参加要求を拒否する。
【００１７】
電子証明書生成手段が、不正でない前記新規参加の一般のピアに対し電子証明書を生成し、該電子証明書を、電子証明書の解読のためのコミュニティに共通の公開鍵と共に送信する。
【００１８】
ピア管理手段に新規参加の一般のピアを登録する容量が不足すると、信頼グループ管理手段の管理する他の信頼できるピアを紹介する。
【００１９】
一般のピアが、電子証明書の更新のために、信頼できるピアのピア管理手段にログを定期的に送信して、電子証明書の更新要求を行うと、ログ解析手段が、受信したログを解析し、不正がなければ、電子証明書生成手段が、前記電子証明書を新規に生成し、電子証明書の解読に必要な公開鍵と共に一般ピアに送信し、不正が有れば、信頼できるピアのピア管理手段が、不正の一般ピアを一般ピア一覧から削除し、不正の一般ピアを不正一覧に登録し、信頼グループ管理手段から宛先情報を得て、他の信頼できるピアのピア管理手段に一般ピアの不正情報を送信する。
【００２０】
一般ピアの不正情報を受信したピア管理手段が、信頼できるピアに属する一般ピアの不正一覧に不正の一般ピアを登録する。
【００２１】
コミュニティにおいて、各ピアが通信を行う場合、通信手段が、受信側ピアに、電子証明書管理手段が管理する電子証明書を送信し、受信側ピアの通信手段が、受信した電子証明書の正当性を電子証明書管理手段に照会し、正当であれば通信を続け、不正であれば通信を拒否する。
【００２２】
本発明は、コミュニティにおける利用者情報の分散管理方法および装置に関する。
【００２３】
本発明は、信頼できる複数のピアで信頼グループを形成し、各信頼できるピアが一般ピアに電子証明書を発行し、コミュニティ（信頼ネットワーク）における利用者情報を信頼グループ内で分散管理するものである。
【発明の効果】
【００２４】
本発明は、信頼できるピアから構成される信頼グループによるコミュニティにおける利用者情報を分散管理することにより、
利用者情報の管理に特定の設備を設ける必要がない、
ログ解析による大規模なコミュニティにおける利用者の管理が可能、
不正なピアをコミュニティから排除でき、コミュニティの安全性を維持することができる、
利用者はコミュニティに安心して参加し、コミュニケーションを楽しむことができる、
という効果がある。
【発明を実施するための最良の形態】
【００２５】
次に、本発明の実施の形態について図面を参照して説明する。
【００２６】
図１は本発明の一実施形態の信頼ネットワーク（コミュニティ）のシステム構成図である。
【００２７】
信頼できるピア１１，１２，１３は信頼グループ１を構成し、それぞれ一般ピア２１と２２、一般ピア２３、一般ピア２４を分散して管理する。
【００２８】
図２は信頼できるピア１１と一般ピア２１の構成を示す図である。
【００２９】
信頼できるピア１１〜１３は信頼グループ機能部３１とコミュニケーション機能部３２からなるコミュニケーションサービス装置３を有し、信頼グループ機能部３１は信頼グループ管理部３１ａとピア管理部３１ｂとログ解析部３１ｃと電子証明書生成部３１ｄからなり、コミュニケーション機能部３２は通信部３２ａとログ管理部３２ｂと電子証明書管理部３２ｃとからなる。信頼できるピア１２，１３，一般ピア２１〜２４も同じ構成である。
【００３０】
信頼グループ機能部３１の信頼グループ管理部３１ａは、他の信頼できるピア１２，１３の信頼グループ管理部３１ａと信頼グループ１の信頼できるピア１１，１２，１３の情報の連絡を行い、信頼グループ１の信頼できるピア１１，１２，１３の一覧を管理し、電子証明書生成部３１ｄによる電子証明書発行のための共通鍵を、信頼グループ１を構成する他の信頼できるピア１２および１３と共有する機能を有する。
【００３１】
ログ解析部３１ｃは、例えば一般ピア２１から受信したログを解析し、不正がなければ、電子証明書生成部３１ｄに一般ピア２１への電子証明書および電子証明書解読のための公開鍵の発行を指示し、不正があれば、ピア管理部３１ｂに不正の一般ピアの不正処理を指示する機能を有する。
【００３２】
信頼できるピア１１のピア管理部３１ｂは、ログ解析部３１ｃから、例えば一般ピア２１の不正通知を受けると、信頼できるピア１１の管理する一般ピア一覧から一般ピア２１を削除し、同ピアを不正ピア一覧に登録し、信頼グループ管理部３１ａから宛先情報を得て、全ての他の信頼できるピア１２，１３のピア管理部３１ｂに一般ピア２１の不正を通知し、一般ピア２２に一般ピア２１の不正を通知する機能を有する。
【００３３】
一般ピア２２のピア管理部３１ｂは、信頼できるピア１１のピア管理部３１ｂから、一般ピア２１の不正通知を受信し、一般ピア２１を信頼できるピア１１に属する不正の一般ピア一覧に登録する機能を有する。
【００３４】
電子証明書生成部３１ｄは、ログ解析部３１ｃの指示により、不正のない一般ピア２２に電子証明書およびコミュニティに共通で、電子証明書の解読に必要な公開鍵を発行する機能を有する。
【００３５】
コミュニケーション機能部３２の通信部３２ａは、コミュニティの他の、例えば一般ピア２２との通信のために、電子証明書管理部３２ｃから電子証明書を取得し、通信相手の一般ピア２２に送信し、通信相手の一般ピア２２から受信する電子証明書の正当性の判定を電子証明書管理部３２ｃに依頼する機能を有する。
【００３６】
ログ管理部３２ｂは、信頼できるピア１１のピア管理部３１ｂにログを定期的に送信し、電子証明書の更新要求を行う機能を有する。
【００３７】
電子証明書管理部３２ｃは、信頼できるピア１１の電子証明書生成部３１ｄから電子証明書および電子証明書解読のための公開鍵を受信、管理し、電子証明書により通信相手の正当性を、電子証明書発行時の個人同意情報、パスワード、および前記電子証明書の有効期限により判定し、通信相手の一般ピア２２が不正ピアとしてピア管理部３１ｂに登録されていないことを確認する機能を有する。
【００３８】
図３は、信頼グループ１を形成する場合の利用者情報の分散管理動作を説明するフローチャートである。
【００３９】
信頼グループ１の形成のために定期的に、あるいは信頼できるピアが信頼グループ１に新しく自動的にまた人為的に追加されると（ステップ１０１）、信頼グループ機能部３１の信頼グループ管理部３１ａが、信頼グループ１を構成する信頼できるピア１１の変化を検出し、信頼グループ１の信頼できるピア一覧を作成し、信頼できるピアを新しく追加する場合は信頼グループ１の信頼できるピア間で電子証明書発行のための共通鍵を共有する（ステップ１０２）。信頼できるピア１２，１３の信頼グループ管理部３１ａに信頼グループ１の信頼できるピア一覧を送信する（ステップ１０３）。信頼グループ１のピア１２，１３が、信頼できるピア１１から、信頼グループ１の信頼できるピア一覧を受信し、信頼グループ１の信頼できるピアの一覧を更新し、電子証明書発行のための共通鍵を信頼グループ管理部３１ａで管理する（ステップ１０４）。
【００４０】
図４は、信頼できるピア１１への一般ピア２１の新規参加の場合の利用者情報の分散管理動作を説明する図である。
【００４１】
新規参加の一般ピア２１の電子証明書管理部３２ｃが、信頼できるピア１１のピア管理部３１ｂにコミュニティへの参加要求を送信する（ステップ１１１）。
【００４２】
信頼できるピア１１のピア管理部３１ｂが、一般ピア２１の参加要求を受信する（ステップ１１２）。一般ピア２１の不正ピア一覧における登録の有無を確認する（ステップ１１３）。一般ピア２１が不正ピアであれば、一般ピア２１の新規参加を拒否する（ステップ１１４）。一般ピア２１が不正でなければ、新規参加ピア２１の登録容量の有無を確認する（ステップ１１５）。ピア管理部３１ｂに登録容量があれば、新規参加ピア２１を一般ピア一覧に登録する（ステップ１１６）。電子証明書生成部３１ｄが、新規参加ピア２１に電子証明書およびコミュニティに共通の電子証明書の解読のための公開鍵を生成し（ステップ１１１）、電子証明書および公開鍵を一般ピア２１に送信する（ステップ１１８）。
【００４３】
一般ピア２１の電子証明書管理部３２ｃが信頼できるピア１１から電子証明書および公開鍵を受信し、保管する（ステップ１１９）。登録容量が無ければ、信頼グループ管理部３１ａの管理する他の信頼できるピア、例えばピア１２を新規参加ピア２１に紹介する（ステップ１２０）。
【００４４】
図５は、一般ピア２１が電子証明書を更新する場合の利用者情報の分散管理動作を説明するフローチャートである。
【００４５】
一般ピア２１の電子証明書管理部３２ｃが電子証明書の更新時期を検出する（ステップ１２１）。一般ピア２１のログ管理部３２ｂが、信頼できるピア１１のピア管理部３１ｂにログを送信する（ステップ１２２）。信頼できるピア１１が、一般ピア２１から受信したログの正当性をログ解析部３１ｃにより判断する（ステップ１２３）。不正がなければ、電子証明書生成部３１ｄにより電子証明書を生成する（ステップ１２４）。一般ピア２１の電子証明書管理部３２ｃに電子証明書および公開鍵を送信する（ステップ１２５）。一般ピア２１の電子証明書管理部３２ｃが、信頼できるピア１１から電子証明書と公開鍵を受信し、電子証明書管理部３２ｃに保管する（ステップ１２６）。不正があれば、信頼できるピア１１のピア管理部３１ｂが、一般ピア一覧から一般ピア２１を削除、一般ピア２１を不正ピア一覧に登録、信頼グループ１の信頼できるピア１２，１３および一般ピア２２に一般ピア２１の不正を通知する（ステップ１２１）。
【００４６】
信頼できるピア１２，１３のそれぞれピア管理部３１ｂが、ピア２１を不正ピア一覧に登録する（ステップ１２８）。一般ピア２２のピア管理部３１ｂが、ピア２１を不正ピア一覧に登録する（ステップ１２９）。
【００４７】
図６は、コミュニティ内で一般ピア２１と２２が通信を行う場合の利用者情報の分散管理動作を説明するフローチャートである。
【００４８】
発信側一般ピア２１の通信部３２ａが、受信側ピア２２に電子証明書管理部３２ｃが管理する電子証明書を送信する（ステップ１３１）。受信側一般ピア２２の通信部３２ａが、発信側一般ピア２１の電子証明書の正当性を電子証明書管理部３２ｃにより判断する（ステップ１３２）。電子証明書が正当の場合、通信を継続する（ステップ１３３）。電子証明書が不正の場合、通信を拒否する（ステップ１３４）。
【００４９】
なお、コミュニティサービス装置３１の機能は専用のハードウェアにより実現されるもの以外に、その機能を実現するためのプログラムを、コンピュータ読み取り可能な記録媒体に記録して、この記録媒体に記録されたプログラムをコンピュータシステムに読み込ませ、実行するものであってもよい。コンピュータ読み取り可能な記録媒体とは、フレキシブルディスク、光磁器ディスク、ＣＤ−ＲＯＭ等の記録媒体、コンピュータシステムに内蔵されるハードディスク装置等の記憶装置を指す。さらに、コンピュータ読み取り可能なインターネットを介してプログラムを送信する場合のように、短時間の間、動的にプログラムを保持する（伝送媒体もしくは伝送波）、その場合のサーバとなるコンピュータシステム内部の揮発性メモリのように、一定時間プログラムを保持しているものも含む。
【産業上の利用可能性】
【００５０】
本発明による利用者情報の分散管理方法および装置はＰ２Ｐシステムにおける利用者情報を分散管理する方法および装置として利用する可能性がある。
【図面の簡単な説明】
【００５１】
【図１】本発明の一実施形態による、利用者情報の分散管理装置を備えたコミュニティのブロック図である。
【図２】コミュニティサービス装置の構成を示す図である。
【図３】信頼グループを形成する場合の、利用者情報の分散管理動作を説明するフローチャートである。
【図４】信頼できるピアへの一般ピアの新規参加の場合の、利用者情報の分散管理動作を説明するフローチャートである。
【図５】一般ピアが電子証明書を更新する場合の、利用者情報の分散管理動作を説明するフローチャートである。
【図６】コミュニティ内で一般ピア同士が通信を行う場合の、利用者情報の分散管理動作を説明するフローチャートである。
【符号の説明】
【００５２】
１    信頼グループ
１１〜１３    信頼グループ１を構成するピア
２１〜２４    一般のピア
３    コミュニティサービス装置
３１    信頼グループ機能部
３１ａ    信頼グループ管理部
３１ｂ    ピア管理部
３１ｃ    ログ解析部
３１ｄ    電子証明書生成部
３２    コミュニケーション機能部
３２ａ    通信部
３２ｂ    ログ管理部
３２ｃ    電子証明書管理部
１０１〜１０４，１１１〜１２０，１２１〜１２９，１３１〜１３４    ステップ
【図１】
2006148197.tif 000003
【図２】
2006148197.tif 000004
【図３】
2006148197.tif 000005
【図４】
2006148197.tif 000006
【図５】
2006148197.tif 000007
【図６】
2006148197.tif 000008